(57)【要約】【課題】箔部分と絵柄部分とを含む文化財等の装飾品の持つ質感を再現することができる画像形成方法、画像形成装置、プログラムおよび複製物を提供する。【解決手段】金属光沢を有する第１の領域と、第１の領域以外の第２の領域とを有する複製対象の画像をインクジェット方式で形成する画像形成方法であって、基材（３０２）の上に設けられた金属光沢を有する下地層（３０４）の上の、第２の領域に対応する領域に、金属光沢を隠蔽する隠蔽層（３０６）を形成するステップ（（ｂ））と、隠蔽層（３０６）の上に、複製対象の絵柄が印刷された絵柄層（３１０）を形成するステップ（（ｃ））と、絵柄層（３１０）の上に、質感を付与する第１のマット層（３１２）を形成するステップ（（ｅ））とを含む。【選択図】図５
2020192684.tif 000002
【特許請求の範囲】
【請求項１】
金属光沢を有する第１の領域と、前記第１の領域以外の第２の領域とを有する複製対象の画像をインクジェット方式で形成する画像形成方法であって、
基材の上に設けられた金属光沢を有する下地層の上の、前記第２の領域に対応する領域に、金属光沢を隠蔽する隠蔽層を形成するステップと、
前記隠蔽層の上に、前記複製対象の絵柄が印刷された絵柄層を形成するステップと、
前記絵柄層の上に、質感を付与する第１のマット層を形成するステップと
を含む、画像形成方法。
【請求項２】
前記第１の領域に対応する領域に、前記複製対象の色を再現した古色再現層を設けるステップと、
前記古色再現層の上の少なくとも一部に、第１のマット層を形成するステップと
をさらに含む、請求項１に記載の画像形成方法。
【請求項３】
前記古色再現層の上に前記第１のマット層が形成された領域の光沢度は４０％以下であり、前記古色再現層の上の他の領域の光沢度は４０％より大きい、請求項２に記載の画像形成方法。
【請求項４】
前記古色再現層の光沢度は前記絵柄層の光沢度より大きい、請求項２または３に記載の画像形成方法。
【請求項５】
前記隠蔽層を形成するステップの前に、前記下地層の上の少なくとも一部に、前記下地層の光沢を抑制する第２のマット層を形成するステップをさらに含む、請求項１ないし４のいずれか一項に記載の画像形成方法。
【請求項６】
前記第２のマット層は、前記第１のマット層よりもマット剤の濃度が低い層である、請求項５に記載の画像形成方法。
【請求項７】
前記第２のマット層は、前記下地層の全面に形成される、請求項５または６に記載の画像形成方法。
【請求項８】
前記絵柄層の光沢度は４０％以下である、請求項１ないし７のいずれか一項に記載の画像形成方法。
【請求項９】
前記複製対象の全ての領域の光沢度は１００％以下である、請求項１ないし８のいずれか一項に記載の画像形成方法。
【請求項１０】
前記絵柄層を形成するステップの前に、前記隠蔽層の上に、紫外線硬化インクにより前記複製対象の質感を表現した質感パターンを形成するステップをさらに含む、請求項１ないし９のいずれか一項に記載の画像形成方法。
【請求項１１】
金属光沢を有する複製対象の画像をインクジェット方式で形成する画像形成方法であって、
基材の上に設けられた金属光沢を有する下地層の上に、前記複製対象の色を再現した古色再現層を設けるステップと、
前記古色再現層の上の少なくとも一部に、質感を付与する第１のマット層を形成するステップと
を含む、画像形成方法。
【請求項１２】
コンピュータに請求項１ないし１１のいずれか一項に記載の画像形成方法を実行させる、プログラム。
【請求項１３】
金属光沢を有する第１の領域と、前記第１の領域以外の第２の領域とを有する複製対象の画像をインクジェット方式で形成する画像形成装置であって、
基材の上に設けられた金属光沢を有する下地層の上の、前記第２の領域に対応する領域に、金属光沢を隠蔽する隠蔽層を形成する隠蔽層形成手段と、
前記隠蔽層の上に、前記複製対象の絵柄が印刷された絵柄層を形成する絵柄層形成手段と、
前記絵柄層の上に、マット層を形成するマット層形成手段と
を含む、画像形成装置。
【請求項１４】
金属光沢を有する複製対象の画像をインクジェット方式で形成する画像形成装置であって、
基材の上に設けられた金属光沢を有する下地層の上に、前記複製対象の色を再現した古色再現層を設ける古色再現層形成手段と、
前記古色再現層の上の少なくとも一部に、マット層を形成するマット層形成手段と
を含む、画像形成装置。
【請求項１５】
金属光沢を有する第１の領域と、前記第１の領域以外の第２の領域とを有する複製対象の複製物であって、基材の上に金属光沢を有する下地層が形成され、前記下地層の上の、前記第２の領域に対応する領域に、金属光沢を隠蔽する隠蔽層が形成され、前記隠蔽層の上に、前記複製対象の絵柄が印刷された絵柄層が形成され、前記絵柄層の上に、質感を付与するマット層が形成された、複製物。
【請求項１６】
金属光沢を有する複製対象の複製物であって、基材の上に金属光沢を有する下地層が形成され、前記下地層の上に、前記複製対象の色を再現した古色再現層が形成され、前記古色再現層の上の少なくとも一部に、マット層が形成された、複製物。
【請求項１７】
金属光沢を有する第１の領域と、前記第１の領域以外の第２の領域とを有する複製対象の画像をインクジェット方式で形成する画像形成方法であって、
基材の上に設けられた金属光沢を有する下地層の上の、前記第２の領域に対応する領域に、金属光沢を隠蔽する隠蔽層を形成するステップと、
前記隠蔽層の上に、前記複製対象の絵柄が印刷された絵柄層を形成するステップと、
前記絵柄層の上に、質感を付与する第１の制御層を形成して、前記絵柄層の光沢度を４０％以下にするステップと
を含む、画像形成方法。
【請求項１８】
金属光沢を有する複製対象の画像をインクジェット方式で形成する画像形成方法であって、
基材の上に設けられた金属光沢を有する下地層の上に、前記複製対象の色を再現した古色再現層を設けるステップと、
前記古色再現層の上の少なくとも一部に、質感を付与する第１の制御層を形成するステップと
を含み、前記古色再現層の上に前記第１の制御層が形成された領域の光沢度は４０％以下であり、前記古色再現層の上の他の領域の光沢度は４０％より大きい、画像形成方法。
【請求項１９】
金属光沢を有する第１の領域と、前記第１の領域以外の第２の領域とを有する複製対象の複製物であって、基材の上に金属光沢を有する下地層が形成され、前記下地層の上の、前記第２の領域に対応する領域に、金属光沢を隠蔽する隠蔽層が形成され、前記隠蔽層の上に、前記複製対象の絵柄が印刷された絵柄層が形成され、前記絵柄層の上に、質感を付与する制御層が形成され、前記絵柄層の光沢度が４０％以下である、複製物。
【請求項２０】
金属光沢を有する複製対象の複製物であって、基材の上に金属光沢を有する下地層が形成され、前記下地層の上に、前記複製対象の色を再現した古色再現層が形成され、前記古色再現層の上の少なくとも一部に、質感を付与する制御層が形成され、前記古色再現層の上に前記制御層が形成された領域の光沢度は４０％以下であり、前記古色再現層の上の他の領域の光沢度は４０％より大きい、複製物。
【発明の詳細な説明】
【技術分野】
【０００１】
本発明は、画像形成方法、画像形成装置、プログラムおよび複製物に関し、特に、金屏風等の金属光沢を有する複製対象を複製する画像形成方法等に関する。
【背景技術】
【０００２】
近年、文化財、美術品、および工芸品等の装飾品の高品位な複製を、手書きによらずインクジェットプリンタを用いた印刷により行う技術が開発されている。
【０００３】
インクジェットプリンタを用いた装飾品の複製では、通常、染料インクや顔料インク等の水性インクを用いるが、金箔等の金属光沢を有する箔の上に絵柄が施された金屏風等の場合、水性インクでは浸透せず乾燥しにくいため、絵柄の再現が困難である。このため、箔が施された装飾品の複製にはＵＶ（Ultra-Violet）硬化インクが用いられる。このような技術として、紙等の基材に貼り付けられた金箔にＵＶ硬化インクで下地層を設けて金属光沢を遮蔽し、その上に絵柄を印刷する技術が提案されている。（例えば、特許文献１参照）。
【先行技術文献】
【特許文献】
【０００４】
【特許文献１】特開２００９−１９６１０６号公報
【発明の概要】
【発明が解決しようとする課題】
【０００５】
しかしながら、上記のようにＵＶ硬化インクの下地層により金箔の光沢を遮蔽した場合、下地層によって光沢が抑えられ、さらに基材および金箔の質感が消えてしまい、絵柄がビニールのように平坦な質感になる。結果として、装飾品の箔部分と絵柄部分とが本来持っている微妙な質感が複製物において著しく損なわれてしまう。
【０００６】
本発明はこのような問題に鑑みてなされたものであり、その目的とするところは、箔部分と絵柄部分とを含む文化財等の装飾品の持つ質感を再現することができる画像形成方法、画像形成装置、プログラムおよび複製物を提供することにある。
【課題を解決するための手段】
【０００７】
上記の課題を解決するために、本開示の一態様によれば、金属光沢を有する第１の領域と、前記第１の領域以外の第２の領域とを有する複製対象の画像をインクジェット方式で形成する画像形成方法であって、
基材の上に設けられた金属光沢を有する下地層の上の、前記第２の領域に対応する領域に、金属光沢を隠蔽する隠蔽層を形成するステップと、
前記隠蔽層の上に、前記複製対象の絵柄が印刷された絵柄層を形成するステップと、
前記絵柄層の上に、質感を付与する第１のマット層を形成するステップと
を含む、画像形成方法を提供する。
【０００８】
ここで、前記第１の領域に対応する領域に、前記複製対象の色を再現した古色再現層を設けるステップと、
前記古色再現層の上の少なくとも一部に、第１のマット層を形成するステップと
をさらに含むものとすることができる。
【０００９】
また、前記古色再現層の上に前記第１のマット層が形成された領域の光沢度は４０％以下であり、前記古色再現層の上の他の領域の光沢度は４０％より大きいものとすることができる。
【００１０】
また、前記古色再現層の光沢度は前記絵柄層の光沢度より大きいものとすることができる。
【００１１】
また、前記隠蔽層を形成するステップの前に、前記下地層の上の少なくとも一部に、前記下地層の光沢を抑制する第２のマット層を形成するステップをさらに含むものとすることができる。
【００１２】
また、前記第２のマット層は、前記第１のマット層よりもマット剤の濃度が低い層であるものとすることができる。
【００１３】
また、前記第２のマット層は、前記下地層の全面に形成されるものとすることができる。
【００１４】
また、前記絵柄層の光沢度は４０％以下であるものとすることができる。
【００１５】
また、前記複製対象の全ての領域の光沢度は１００％以下であるものとすることができる。
【００１６】
また、前記絵柄層を形成するステップの前に、前記隠蔽層の上に、紫外線硬化インクにより前記複製対象の質感を表現した質感パターンを形成するステップをさらに含むものとすることができる。
【００１７】
本発明の別の態様によれば、金属光沢を有する複製対象の画像をインクジェット方式で形成する画像形成方法であって、
基材の上に設けられた金属光沢を有する下地層の上に、前記複製対象の色を再現した古色再現層を設けるステップと、
前記古色再現層の上の少なくとも一部に、質感を付与する第１のマット層を形成するステップと
を含む、画像形成方法を提供する。
【００１８】
本発明の他の態様によれば、コンピュータに上記のいずれかの画像形成方法を実行させる、プログラムを提供する。
【００１９】
本発明の他の態様によれば、金属光沢を有する第１の領域と、前記第１の領域以外の第２の領域とを有する複製対象の画像をインクジェット方式で形成する画像形成装置であって、
基材の上に設けられた金属光沢を有する下地層の上の、前記第２の領域に対応する領域に、金属光沢を隠蔽する隠蔽層を形成する隠蔽層形成手段と、
前記隠蔽層の上に、前記複製対象の絵柄が印刷された絵柄層を形成する絵柄層形成手段と、
前記絵柄層の上に、マット層を形成するマット層形成手段と
を含む、画像形成装置を提供する。
【００２０】
本発明の他の態様によれば、金属光沢を有する複製対象の画像をインクジェット方式で形成する画像形成装置であって、
基材の上に設けられた金属光沢を有する下地層の上に、前記複製対象の色を再現した古色再現層を設ける古色再現層形成手段と、
前記古色再現層の上の少なくとも一部に、マット層を形成するマット層形成手段と
を含む、画像形成装置を提供する。
【００２１】
本発明の他の態様によれば、金属光沢を有する第１の領域と、前記第１の領域以外の第２の領域とを有する複製対象の複製物であって、基材の上に金属光沢を有する下地層が形成され、前記下地層の上の、前記第２の領域に対応する領域に、金属光沢を隠蔽する隠蔽層が形成され、前記隠蔽層の上に、前記複製対象の絵柄が印刷された絵柄層が形成され、前記絵柄層の上に、質感を付与するマット層が形成された、複製物を提供する。
【００２２】
本発明の他の態様によれば、金属光沢を有する複製対象の複製物であって、基材の上に金属光沢を有する下地層が形成され、前記下地層の上に、前記複製対象の色を再現した古色再現層が形成され、前記古色再現層の上の少なくとも一部に、マット層が形成された、複製物を提供する。
【００２３】
本発明の他の態様によれば、金属光沢を有する第１の領域と、前記第１の領域以外の第２の領域とを有する複製対象の画像をインクジェット方式で形成する画像形成方法であって、
基材の上に設けられた金属光沢を有する下地層の上の、前記第２の領域に対応する領域に、金属光沢を隠蔽する隠蔽層を形成するステップと、
前記隠蔽層の上に、前記複製対象の絵柄が印刷された絵柄層を形成するステップと、
前記絵柄層の上に、質感を付与する第１の制御層を形成して、前記絵柄層の光沢度を４０％以下にするステップと
を含む、画像形成方法を提供する。
【００２４】
本発明の他の態様によれば、金属光沢を有する複製対象の画像をインクジェット方式で形成する画像形成方法であって、
基材の上に設けられた金属光沢を有する下地層の上に、前記複製対象の色を再現した古色再現層を設けるステップと、
前記古色再現層の上の少なくとも一部に、質感を付与する第１の制御層を形成するステップと
を含み、前記古色再現層の上に前記第１の制御層が形成された領域の光沢度は４０％以下であり、前記古色再現層の上の他の領域の光沢度は４０％より大きい、画像形成方法を提供する。
【００２５】
本発明の他の態様によれば、金属光沢を有する第１の領域と、前記第１の領域以外の第２の領域とを有する複製対象の複製物であって、基材の上に金属光沢を有する下地層が形成され、前記下地層の上の、前記第２の領域に対応する領域に、金属光沢を隠蔽する隠蔽層が形成され、前記隠蔽層の上に、前記複製対象の絵柄が印刷された絵柄層が形成され、前記絵柄層の上に、質感を付与する制御層が形成され、前記絵柄層の光沢度が４０％以下である、複製物を提供する。
【００２６】
本発明の他の態様によれば、金属光沢を有する複製対象の複製物であって、基材の上に金属光沢を有する下地層が形成され、前記下地層の上に、前記複製対象の色を再現した古色再現層が形成され、前記古色再現層の上の少なくとも一部に、質感を付与する制御層が形成され、前記古色再現層の上に前記制御層が形成された領域の光沢度は４０％以下であり、前記古色再現層の上の他の領域の光沢度は４０％より大きい、複製物を提供する。
【発明の効果】
【００２７】
本開示によれば、箔部分と絵柄部分とを含む文化財等の複製物において、箔部分の輝きを保ちつつ、複製対象が本来有する質感を絵柄部分に付与することが可能となる。
【図面の簡単な説明】
【００２８】
【図１】複製物を製造するためのシステムの構成を示すブロック図である。
【図２】画像形成装置の機能構成を示すブロック図である。
【図３】一実施形態により製造される複製物の構造を示す図である。
【図４】画像形成装置により実行される方法の手順を示すフローチャートである。
【図５】一実施形態に係る複製物の製造工程を段階的に示す図である。
【図６】一実施形態により製造される複製物の構造を示す図である。
【図７】画像形成装置により実行される方法の手順を示すフローチャートである。
【図８】画像形成装置の機能構成を示すブロック図である。
【図９】一実施形態により製造される複製物の構造を示す図である。
【図１０】画像形成装置により実行される方法の手順を示すフローチャートである。
【図１１】一実施例に係る金屏風の複製物の層構造を示す図である。
【発明を実施するための形態】
【００２９】
以下、図面を参照し、本発明の実施の形態について詳細に説明する。
【００３０】
コンピュータグラフィクスや計測技術の進歩により、歴史的文化財をデジタル化して活用するデジタルアーカイブの作成が本格化している。このような状況において、三次元形状計測技術や色彩計測技術を用い、歴史的文化財の有する形状や、色の情報を正しくデジタルアーカイブ化する取り組みが盛んになっている。歴史的文化財の多くに、煌びやかな装飾が施された屏風や襖など、金箔が用いられている。金箔は薄いため、金箔が貼られた部分では、下地の凹凸が浮き出て見える。例えば、下地に和紙が用いられている場合、和紙表面のざらざらとした模様が浮き出て見えることがある。また、歴史的文化財の場合、経年変化による下地の変化や金箔のよれなどが生じていることがあり、その表面が平坦ではなく、表面に所謂表情が出ていること多い。このような表情が独特の風合いを醸しだし、歴史的な重みや美術品としての良さを引き出している部分がある。また、金箔を用いた装飾品の絵柄の部分に、胡粉や、金箔と膠を練り混ぜた金泥による盛り上げ彩色等の表面に変化を与える技法が凝らされていることがあり、その質感を表現するために高品位の複製が必要となる。以下では、このような歴史的文化財としての金屏風の高品位な複製物を製造する技術を例に挙げて説明する。なお、本発明は、襖や屏風に押された金箔や銀箔に描かれた絵、金箔や銀箔が押された工芸品、具足類などの、金属光沢を有する種々の装飾品に適用することが可能である。
【００３１】
（第１実施形態）
図１は、本発明の一実施形態に係る複製物を製造するためのシステムの構成を示すブロック図である。システム１は、カメラ２と、端末装置３と、画像形成装置１００とを含んでおり、互いに通信を行うことができるように構成されている。
【００３２】
カメラ２は、撮像装置５、カメラコントローラ６、および記憶装置７を含む。カメラ２は複製対象の撮像データを取得するためのものであり、撮像装置５で物体を同時に撮影し、複製対象の画像を取得する。撮像装置５は、カメラコントローラ６からの指示を受けて移動し、複製対象の画像を撮像する。撮像装置５から出力される画像信号は、デジタルの画像データに変換される。これにより、カメラ２には、複数枚分のデジタル画像データが記憶装置７に記憶される。画像データは、Ｒ（レッド）、Ｇ（グリーン）、Ｂ（ブルー）からなるＲＧＢ規格に準拠したデータである。また、カメラ２は、上記のように取得された画像データを記憶装置７に記憶する。
【００３３】
なお、複製対象を撮像するカメラ２として、デジタルカメラ、平面スキャナ、３Ｄレーザースキャナ、ＣＴスキャナ等の種々の装置を用いてもよい。
【００３４】
端末装置３は、画像形成装置１００の設定や制御を行うためのものであり、パーソナルコンピュータ等により構成される。端末装置３は、カメラ２により生成された複製対象の画像データを受け取り、内部の記憶装置に記憶する他、このデータに基づく印刷処理を画像形成装置１００に指示する。
【００３５】
画像形成装置１００は、被印刷媒体にインクを付着させて画像を形成するものであり、インクジェット方式のプリンタとして構成される。
【００３６】
図２は、本実施形態に係る画像形成装置１００の機能構成を示すブロック図である。画像形成装置１００は、取得部１０２、入力部１０３、記憶部１０４、表示部１０５および印刷部１１０を含んで構成される。
【００３７】
取得部１０２は、端末装置３から画像データ、画像形成装置１００が動作するために必要な設定値、および印刷の指示等の命令を受信するように構成される。
【００３８】
入力部１０３は、オペレータから画像形成装置１００を操作するための指示や設定値等を受け取るためのものであり、タッチパネルやボタン等により構成される。
【００３９】
記憶部１０４は、画像データ１０６を記憶する。また、記憶部１０４は、本実施形態に係る処理を実行するためのプログラムや演算処理に用いられる他のデータまたは演算結果のデータを記憶するように構成される。具体的には、記憶部１０４は、コンピュータシステム内部の揮発性メモリ（例えば、ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ））、ＵＳＢフラッシュドライブ、リムーバブルハードディスク、ＲＯＭ（Ｒｅａｄ  Ｏｎｌｙ  Ｍｅｍｏｒｙ）、磁気ディスクまたは光ディスク等として構成することができる。
【００４０】
表示部１０５は画像形成装置１００の設定値やステータスの情報、オペレータからコマンドの入力を受けるためのメッセージやボタンを表示させるためのものであり、液晶ディスプレイ等により構成される。
【００４１】
印刷部１１０は、インクジェット方式で画像を形成するものである。印刷部１１０は、ノズルからインクを吐出して画像を形成する記録ヘッド１１１と、この記録ヘッド１１１を制御するための制御部１１５とを有し、当該制御部１１５により記録ヘッド１１１のノズルからインクを高速に吐出するように制御する。インクは、Ｃ（シアン）、Ｍ（マゼンタ）、Ｙ（イエロー）、Ｋ（ブラック）を使用し、これらを重ねることにより、種々の色を表現する。また、印刷部１１０は、隠蔽層を形成するために不透明の白色（例えば樹脂に酸化チタンを混合したホワイトインク）、またはクリアのインクを使用する。
【００４２】
なお、これらのインクの組み合わせで再現できない色を再現するために調合された特色のインクを使用してもよい。
【００４３】
印刷部１１０は、被印刷媒体に付着させる塗料として、インク、およびマットニスまたはマットインクのクリアタイプを用いる。インクには、紫外線（ＵＶ）硬化インクを用いる。ＵＶ硬化インクは、紫外線を照射させることにより光化学反応を発生させ、被印刷媒体に硬化皮膜を形成して定着させるインクである。ＵＶ硬化インクは、溶剤として有機溶剤を使用し、着色剤として有機および無機顔料を使用しており、重合性物質（モノマーまたはオリゴマー）および光重合開始剤を含んでいる。このような組成により、ＵＶ硬化インクは、ＵＶ光の照射を受けると光重合開始剤がＵＶ光を吸収してラジカルを生成する。すると、光重合開始剤のラジカルが重合性物質の反応基に反応して、重合性物質の光重合反応が開始する。この光重合反応は連鎖的に進行し、極めて短時間でインクが液体から固体に変化するので、ＵＶ硬化インクは乾燥のための待ち時間を要しないという特徴がある。また、非吸収性の樹脂やガラス、金属等の、オフセット印刷では通常印刷が困難な種々の媒体の印刷に、ＵＶ硬化インクを適用することが可能である。
【００４４】
また、マットニスまたはマットインクのクリアタイプは、セルロース樹脂、スチレン樹脂、アクリル樹脂、ビニール樹脂、変性ポリオレフィン系樹脂、ゴム系樹脂、オレフィン系樹脂、又はアルキッド系合成樹脂に、シリカ系、カオリン系等のマット剤を混入させることにより構成される。マットニスまたはマットインクのクリアタイプは、ＵＶ硬化型のものであってもよい。マットニスまたはマットインクのクリアタイプは適応的に選択され、オフセット印刷を行う場合はマットニスが用いられ、シルク印刷を行う場合はマットインクのクリアタイプが用いられる。
【００４５】
次に、制御部１１５の機能構成について説明する。制御部１１５は、基材の上に設けられた金属光沢を有する下地層の上に、金属光沢を隠蔽する隠蔽層を形成する隠蔽層形成部１１２と、下地層の上に古色再現層を形成する古色再現層形成部１１３と、隠蔽層の上に複製対象の絵柄が印刷された絵柄層を形成する絵柄層形成部１１４と、下地層、古色再現層および絵柄層の上にマット層を形成するマット層形成部１１６とを含む。
【００４６】
本実施形態に係る取得部１０２および印刷部１１０の動作は、具体的にはインクジェットプリンタに備えられたＣＰＵ（Ｃｅｎｔｒａｌ  Ｐｒｏｃｅｓｓｉｎｇ  Ｕｎｉｔ）等の演算処理装置により統括的に制御される。この演算処理装置は記憶部１０４に記憶されたプログラムを読み取って実行することにより上記の制御を行う。
【００４７】
次に、図３を参照し、本発明の第１実施形態により製造される複製物の構成について説明する。ここで、複製対象は金屏風であり、金属光沢を有する金箔の領域と、絵柄の領域とを有する。図３（ａ）は複製物の一部分を、図３（ｂ）は図３（ａ）に示す一部分のＡＡ断面図を示す。複製物３００において、紙により構成される基材３０２の上には、金箔または金紙からなる金属光沢を有する下地層３０４が金箔用接着剤により貼り付けられている。この下地層３０４が、金屏風の画像を形成するための下地層となる。下地層３０４の上には、金屏風の絵柄の領域に対応する領域に隠蔽層３０６が形成されており、金屏風の金箔の汚れ等に対応する領域に古色再現層３０８が形成されている。
【００４８】
隠蔽層３０６は、下地層３０４の光沢を隠蔽し、その上に金屏風の絵柄が記録される層であり、白色のＵＶ硬化インクにより形成される。
【００４９】
古色再現層３０８は、複製対象の金屏風において絵柄が描かれていない金箔の領域に対応し、経年変化による下地の変化（汚れ、シミなど）や金箔のよれなどにより生じた色合いを表現する層である。古色再現層３０８は、透過性のＵＶ硬化インクにより形成されており、これにより下地の下地層３０４の有する光沢が透過して見えるようになっている。
【００５０】
なお、古色再現層３０８を形成する位置は、複製対象の金箔の部分の色合いに応じて決定し得る。このため、隠蔽層３０６と古色再現層３０８とは、図３（ａ）および（ｂ）の左側に示すように水平方向に連続して形成されてもよく、同図の右側に示すように連続していなくてもよい。右側に示す部分では、下地層３０４の上に形成された隠蔽層３０６と古色再現層３０８との間にマット層３１２が形成されている。
【００５１】
隠蔽層３０６の上には、フルカラーのＵＶ硬化インクによる絵柄層３１０が形成される。絵柄層３１０、および表面が露出している下地層３０４および古色再現層３０８の上にはマット層３１２が形成される。マット層３１２は、和紙やその上の金箔などの質感を付与するための第１の制御層として機能するものであり、具体的にはＵＶ硬化型のマットニスまたはマットインクのクリアタイプが用いられる。
【００５２】
このような層構造により、複製対象の歴史的文化財が持つ質感を複製物に付与することが可能となる。
【００５３】
ここで、マット層３１２は、下地層３０４および古色再現層３０８の露出部分を全て覆う必要はなく、複製対象物の光沢に応じてマット層３１２を選択的に形成してもよい。例えば、下地層３０４および古色再現層３０８の露出部分のうち、金粉と膠を練り混ぜたもの（金泥）が施されている部分に対応する領域に、マット層３１２を形成することとしてもよい。このような層構造により、金箔の質感のバリエーションを作り出すことができる。
【００５４】
なお、上述した複製物３００において基材３０２として紙を用いているが、木や樹脂等の他の基材を用いてもよい。
【００５５】
また、図３（ｂ）に示された複製物３００では隠蔽層３０６の方が古色再現層３０８より僅かに厚みがあるが、古色再現層３０８の厚さは隠蔽層３０６の厚さ以上であってもよい。
【００５６】
さらに、上述した複製物３００の表面に露出している古色再現層３０８およびマット層３１２の上を、耐水性を有するウレタン樹脂等でコーティングしてもよい。
【００５７】
図４は、本実施形態に係る画像形成装置１００により実行される方法の手順のフローチャートである。図５は、複製物の製造を段階的に示す図である。以下、図４および図５を参照し、本実施形態に係る画像形成装置により実行される方法の手順について説明する。
【００５８】
まず、ステップＳ２０２において、画像形成装置１００の取得部１０２が、複製対象のデータを取得する。本実施形態において、取得されるデータは画像データ１０６を含む。このデータは記憶部１０４に記憶される。
【００５９】
以降の処理で、紙等の基材３０２の上に下地層３０４が設けられた部材を使用して、複製物の製造を行う（図５（ａ））。
【００６０】
画像形成装置１００の取得部１０２は、端末装置３から画像データおよびこのデータに基づく印刷の指示を受ける。画像形成装置１００は、受信したデータを記憶部１０４の画像データ１０６に記憶する。
【００６１】
次いで、処理はステップＳ２０４に進み、画像形成装置１００の隠蔽層形成部１１２は、記憶部１０４に記憶されたＲＧＢ規格に準拠した画像データ１０６を読み出す。隠蔽層形成部１１２は、下地層３０４上の各位置、例えば記録ヘッド１１１がＵＶ硬化インクを吐出する各インクドットの位置について、金箔の領域であるか、絵柄の領域であるかを判定する。この判定は、目視等により複製対象を観察して金箔の領域を判定し、判定結果に応じて画定された領域のデータに基づいて行われる。この金箔の領域の判定は、有識者の監修に基づくものとすることができる。
【００６２】
そして、絵柄の部分と判定した場合には、下地層３０４の上の、絵柄の部分に対応する領域に、隠蔽層３０６を形成する（図５（ｂ））。
【００６３】
ここで、隠蔽層３０６が形成された領域を画定する位置情報を、記憶部１０４に記憶する。
【００６４】
次いで、ステップＳ２０６において、絵柄層形成部１１４は、画像形成装置１００に対応したＣＭＹＫプロファイルに基づき、ＲＧＢに準拠した画像データをＣＭＹＫのデータに変換する。次いで、ＣＭＹＫに変換された画像データ１０６に基づき、隠蔽層３０６が形成された領域の上に絵柄層３１０を形成する（図５（ｃ））。
【００６５】
次いで、ステップＳ２０８において、古色再現層形成部１１３は、複製対象の金箔の部分に対応する領域（すなわち、下地層３０４が露出している領域）の上に、古色再現層３０８を形成する（図５（ｄ））。ここで、古色再現層の形成は、記憶部１０１に記憶された複製対象の文化財デジタル画像の画像データ１０６に基づき行うこととしてもよい。この場合、文化財デジタル画像の箔部分に存在する、柄（墨を薄く引いているようなものなど）、箔足、汚れ、シミ、キズ、剥落、シワの跡、砂子、等の画像を箔色からマスク等で分離する。複製の際に、この分離された画像を絵柄として下地層３０４の上に印刷する。
【００６６】
あるいは、汚れやシミを表現するための汎用的なパターン画像を予め１つ以上記憶しておき、このパターン画像に基づき汚れやシミの部分に対応する色を着色することにより行うこととしてもよい。また、パターン画像を使用することなく、汚れに対応して所定の色を用意しておき、この色を下地層３０４の露出部分に着色することとしてもよい。
【００６７】
最後に、ステップＳ２１０において、マット層形成部１１６が、下地層３０４の露出部分、古色再現層３０８、および絵柄層３１０の上にマット層３１２を形成する（図５（ｅ））。
【００６８】
このようにして、隠蔽層の上に、複製対象の絵柄が印刷された絵柄層を形成し、絵柄層の上にマット層を形成して質感を付与することで、金屏風の箔部分の輝きを保持しつつ、絵柄部分のＵＶ硬化インクによる光沢感を、和紙のような自然な風合いにすることができる。
【００６９】
また、金屏風の金箔に対応する下地層上の領域に、金屏風の色を再現した古色再現層を設けることで、箔部分の質感表現を実現することができる。
【００７０】
（第２実施形態）
図６は、本発明の第２実施形態により製造される複製物の層構造を示す図である。図６に示す層構造は、図３（ｂ）に示す層構造において、下地層３０４の上の全面に第２のマット層３０５が追加されている。第２のマット層３０５はＵＶ硬化型マットニスまたはマットインクのクリアタイプにより形成される層であり、マット層３１２（第１のマット層）と比較してマット剤の濃度が低い。
【００７１】
図６に示す層構造において、マット層３１２（第１のマット層）は複製対象における和紙やその上の金箔などの質感を表現し、第２のマット層３０５は下地層３０４の金属光沢の艶消しの役割を果たす第２の制御層として機能する。この第２のマット層３０５はマットニスとグロスニスとの混合物、またはマットインクのクリアタイプとグロスタイプとの混合物を用いて形成され、表面に用いられるマット層３１２よりもマット剤の濃度が低い。以下、マットニスまたはマットインクのクリアタイプを「マット」、グロスニスまたはグロスインクのクリアタイプを「グロス」と略記して、制御層におけるマット対グロスの混合比について説明する。
【００７２】
マットのみを使用した場合（マット対グロスの混合比は１０：０）、下地層３０４は若干の光沢はあるが明るい黄土色といった感じになる。１：１よりグロスが多いと、金箔の質感が消えてビニールのようなツヤツヤした感じになる。マット：グロスの混合比が９：１〜１：１であれば金箔感を損なうことなくマット感を出すことができる。より好ましくは、３：１〜１：１の範囲であれば、金箔感を損なうことなく、より効果的にマット感を出すことができる。
【００７３】
図７は、画像形成装置１００により実行される本実施形態に係る方法の手順を示すフローチャートである。本実施形態に係る方法は、図４に示すフローチャートにおいて、隠蔽層３０６を形成するステップＳ２０４の前に、マット層形成部１１６が、下地層３０４の上の少なくとも一部に、第２のマット層３０５を形成するステップＳ２０３をさらに含む。
【００７４】
本実施形態によれば、箔部分の艶にバリエーションを与えることができる。
【００７５】
（第３実施形態）
次に、複製対象の表面形状データを用いて複製物を製造する第３実施形態について説明する。
【００７６】
再び図１を参照して説明すると、本実施形態に係るカメラ２はステレオカメラとして構成される。ステレオカメラは複製対象の撮像データを取得するためのものであり、撮像装置５は複数の撮像部で構成され、これら撮像部で物体を同時に撮影し、各撮像部で得られた複製対象の画像上での映る位置の違い（視差）から、その複製対象の位置や立体的な形状を認識する。撮像装置５は、カメラコントローラ６からの指示を受けて移動し、多方向から複製対象の画像を撮像する。撮像装置５から出力される画像信号は、デジタルの画像データに変換される。これにより、カメラ２には、複数枚分のデジタル画像データが記憶装置７に記憶される。また、カメラ２は、上記のように変換された画像データから対応点を抽出し、各画像上の対応点の位置の違いを求め、予め把握されている各撮像装置の位置関係の情報に基づいて三角測量の原理により複製対象の表面形状データを求めて、求められた表面形状データを記憶装置７に記憶する。記憶された形状データは、例えば、抽出された対応点の三次元座標値から構成される。
【００７７】
なお、表面の立体形状を取得するためのカメラ２として、３Ｄスキャナを用いることとしてもよい。
【００７８】
図８は、本実施形態に係る画像形成装置の機能構成を示すブロック図である。図８に示す画像形成装置８００は、図２に示す画像形成装置１００の記憶部１０４に表面形状データ１０８が追加される。また、制御部１１５に質感パターン形成部１１８が追加される。
【００７９】
図９は、本実施形態により製造される複製物の層構造を示す図である。図９に示す層構造は、図３（ｂ）に示す層構造において、隠蔽層３０６の上に質感パターン３０７が追加されている。質感パターン３０７は、複製対象の金屏風の絵柄部分の凹凸を白またはクリアのＵＶ硬化インクにより表現したパターンである。ＵＶ硬化インクは瞬時に硬化させることができるため、印刷を繰り返してインクの層を重ねていくことで厚みを表現することができる。さらに、重ね塗りの回数を位置に応じて変化させることにより、凹凸を表現することができる。
【００８０】
絵柄層３１０は、重ね塗りの回数を制御することなく通常の印刷を行うことで、質感パターン３０７の表面に表現された凹凸の影響を受け、表面に質感パターン３０７と同様の凹凸が形成されている。
【００８１】
このような層構造により、複製対象の歴史的文化財が持つ質感を複製物に付与することが可能となる。
【００８２】
図１０は、本実施形態に係る画像形成装置８００により実行される方法の手順のフローチャートである。
【００８３】
まず、ステップＳ２０２において、画像形成装置８００の取得部１０２が、複製対象の文化財デジタル画像のデータを取得する。本実施形態において、取得されるデータは画像データ１０６および表面形状データ１０８を含む。これらのデータは記憶部１０４に記憶される。
【００８４】
次いで、取得部１０２は、表面形状データを、印刷部１１０で処理可能な三次元形式の表面形状を表現する三次元形状データに変換する。
【００８５】
このような三次元形状のデータ形式として、ＳＴＬ（Ｓｔａｎｄａｒｄ  Ｔｒｉａｎｇｕｌａｔｅｄ  Ｌａｎｇｕａｇｅ）形式などが用いられる。ＳＴＬ形式の場合、データは三次元形状を小さな三角形の集合体で表現し、具体的には以下のような形式で構成される。１つの三角形は「三角形の法線ベクトルのＸ，Ｙ，Ｚ成分値」から「未使用データ」までの１組のデータにより定義され、１つの三次元形状に対し三角形枚数分の組のデータが繰り返される。
【００８６】
【表１】
2020192684.tif 000003
【００８７】
以降の処理で、紙等の基材３０２の上に下地層３０４が設けられた部材を使用して、複製物の製造を行う。
【００８８】
画像形成装置８００の取得部１０２は、端末装置３から画像データおよび表面形状データおよびこれらのデータに基づく印刷の指示を受ける。画像形成装置８００は、受信したデータを記憶部１０４の画像データ１０６および表面形状データ１０８に記憶する。
【００８９】
次いで、処理はステップＳ２０４に進み、画像形成装置８００の隠蔽層形成部１１２は、記憶部１０４に記憶されたＲＧＢ規格に準拠した画像データ１０６を読み出す。隠蔽層形成部１１２は、下地層３０４上の各位置、例えば記録ヘッド１１１がＵＶ硬化インクを吐出する各インクドットの位置について、金箔の領域であるか、絵柄の領域であるかを判定する。
【００９０】
そして、絵柄の部分と判定した場合には、下地層３０４の上の、絵柄の部分に対応する領域に、凹凸のない隠蔽層３０６を形成する。
【００９１】
ここで、隠蔽層３０６が形成された領域を画定する位置情報を、記憶部１０４に記憶する。
【００９２】
次いで、ステップＳ２０５において、質感パターン形成部１１８は、記憶部１０４に記憶された位置情報と表面形状データ１０８とを読み出す。
【００９３】
次いで、読み出された位置情報と表面形状データ１０８とに基づいて表現される質感を０〜１００％の濃度差で再現したパターンを、白のＵＶ硬化インクで印刷し、質感パターン３０７を形成する。このとき、０％〜１００％の濃度差がそのまま０〜１００％の厚みに対応した質感が形成される。このようにして、白のＵＶ硬化インクを１層印刷するだけで質感パターン３０７を形成することができる。
【００９４】
なお、基本的には一度の出力で質感を形成することができるが、画像形成装置８００が複数回重ね印刷できる機種であれば、複数回の印刷を行うことで、より質感パターン３０７に高低差を付けることができる。
【００９５】
ステップＳ２０６以降の処理は、図４において説明した手順と同様であるので、説明を省略する。
【００９６】
このようにして、基材の上に設けられた金属光沢を有する下地層上の、金屏風の絵柄の部分に対応する領域に、金属光沢を隠蔽する凹凸のない隠蔽層を形成し、この隠蔽層の上に、紫外線硬化インクにより複製対象の質感を表現した質感パターンを形成し、質感パターンの上に、複製対象の絵柄が印刷された絵柄層を形成することで、金屏風の表面質感を再現することができる。
【００９７】
なお、上述の実施形態では、質感パターン３０７を形成するために複製対象の表面形状データを用いたが、金屏風の表面の質感を表現した汎用的な表面形状データを予め１つ以上記憶しておき、このパターン画像に基づき質感パターン３０７を形成することとしてもよい。このような処理によっても、装飾品が本来持っている微妙な質感を複製物に付与することができる。
【実施例】
【００９８】
次に、本発明の第２実施形態により製造された複製物について光沢度を計測した実施例について説明する。
【００９９】
図１１は、本実施例に係る金屏風の複製物の層構造を示す。同図に示す層構造は、絵柄の部分において、下から洋金箔用紙ａ、金箔の艶消しに用いられる第２のマット層ｂ、白いＵＶ硬化インクによる隠蔽層ｃ、絵柄が印刷された絵柄層ｄ１、および和紙などの質感を表現する第１のマット層ｅが積層される。
【０１００】
また、金泥の部分は、下から洋金箔用紙ａ、第２のマット層ｂ、金箔の汚しに対応する領域に形成される古色再現層ｄ２、および第１のマット層ｅが積層される。
また、金箔の部分には、洋金箔用紙ａ、第２のマット層ｂ、および古色再現層ｄ−２が積層される。
【０１０１】
このような層構造の種々の測定位置において、光沢度の測定を行った。光沢度の測定機器には、ＨＯＲＩＢＡのＩＧ−３３０を使用した。以下の表１に、測定結果を示す。
【０１０２】
【表１】
2020192684.tif 000004
【０１０３】
上記の表において、絵柄部分は異なる２個所において光沢度を測定し、それぞれ絵柄部分１および２で示している。
【０１０４】
また、測定角度は、光沢度が７０％未満の場合には６０度の値を使用し、７０％以上の場合には２０度の値を使用した。
【０１０５】
比較例として、マット層を形成しない場合の層構造に対する測定結果を以下の表２に示す。
【０１０６】
【表２】
2020192684.tif 000005
【０１０７】
上記の表２の左側の項番は、表１の測定箇所に対応する項番を付与している。
【０１０８】
表１（本実施例）と表２（比較例）とを比較すると、本実施例の測定結果について以下のことが言える。
【０１０９】
（１）複製物の全領域において光沢度が１００％以下になっている。
【０１１０】
（２）絵柄部分の光沢度は１０％以下になっている。また、古色再現層の光沢度は絵柄部分の光沢度より大きい。
【０１１１】
表２において、絵柄部分１の光沢度は４５％である。これに対し、表１における絵柄部分の光沢度は４０％以下である。文化財等の装飾品の質感を考慮して絵柄部分の光沢度を３０％以下で再現する場合、マット層を含む構成がより好適である。絵柄部分の光沢度が２０％以下であれば、絵柄部分は目視でマット系の紙や和紙の見えになっており、１０％以下であればよりマット感が増す感じが得られる。
【０１１２】
（３）古色再現層の光沢度が、４０％以下の領域と、４０％より大きい領域を含んでいる。すなわち、マット層が第１のマット層および第２のマット層を含む領域においては古色再現層の光沢度は４０％以下であり、マット層が第２のマット層のみを含む領域においては古色再現層の光沢度は４０％より大きい。
【０１１３】
したがって、本実施例によれば、光沢度の大きい領域における金箔の質感と、光沢度の小さい領域における和紙の質感が同時に得られており、質感のバリエーションが高いと言える。
【０１１４】
表２において、古色再現層の光沢度は５６％以上である。文化財等の装飾品の質感を考慮して箔部分の光沢度を５０％以下で再現する場合、マット層を含む構成が好適である。箔部分の光沢度が４０％以下であれば、目視でよりマット感が増す感じが得られる。また、光沢度３０％以下で箔部分を再現する場合は、第１のマット層を含む構成がより好適である。光沢度が２０％以下であれば、目視でさらにマット感が増す感じが得られる。
【０１１５】
（他の実施形態）
上述の実施形態では金屏風を例に挙げてオリジナルの文化財を複製する方法を説明したが、本発明は金箔に限らず、銀箔その他の箔を使用した複製対象に適用することができる。したがって、複製対象に押されている箔に対応して、下地層３０４に銀箔その他の箔を使用することとしてもよい。
【０１１６】
また、上述した実施形態では、質感を付与する第１の制御層、および金属光沢の艶消しの役割を果たす第２の制御層の例として、それぞれ第１のマット層および第２のマット層を用いた例を説明したが、第１の制御層及び第２の制御層の構成はこれらに限定されない。第１の制御層および第２の制御層はマット層に限定されるものではなく、光沢度を実施形態で説明した値に制御することが可能な種々の材料を用いることができる。
【０１１７】
本開示の態様は以下のものを含む。
【０１１８】
（付記１）
金属光沢を有する複製対象の画像をインクジェット方式で形成する画像形成方法であって、
基材の上に設けられた金属光沢を有する下地層の上に、上記複製対象の色を再現した古色再現層を設けるステップと、
上記古色再現層の上の少なくとも一部に、質感を付与する第１のマット層を形成するステップと
を含む、画像形成方法。
【０１１９】
（付記２）
上記古色再現層の上に上記第１のマット層が形成された領域の光沢度は４０％以下であり、上記古色再現層の上の他の領域の光沢度は４０％より大きい、付記１に記載の画像形成方法。
【０１２０】
（付記３）
上記古色再現層を設けるステップの前に、上記下地層の上の少なくとも一部に、上記下地層の光沢を抑制する第２のマット層を形成するステップをさらに含む、付記１または２に記載の画像形成方法。
【０１２１】
（付記４）
上記第２のマット層は、上記第１のマット層よりもマット剤の濃度が低い層である、付記３に記載の画像形成方法。
【０１２２】
（付記５）
上記第２のマット層は、上記下地層の全面に形成される、付記３または４に記載の画像形成方法。
【０１２３】
（付記６）
上記複製対象の全ての領域の光沢度は１００％以下である、付記１ないし５のいずれか一つに記載の画像形成方法。
【０１２４】
（付記７）
金属光沢を有する第１の領域と、上記第１の領域以外の第２の領域とを有する複製対象の画像をインクジェット方式で形成する画像形成方法であって、
基材の上に設けられた金属光沢を有する下地層の上の、上記第２の領域に対応する領域に、金属光沢を隠蔽する隠蔽層を形成するステップと、
上記隠蔽層の上に、上記複製対象の絵柄が印刷された絵柄層を形成するステップと、
上記絵柄層の上に、質感を付与する第１の制御層を形成して、上記絵柄層の光沢度を４０％以下にするステップと
を含む、画像形成方法。
【０１２５】
（付記８）
上記第１の領域に対応する領域に、上記複製対象の色を再現した古色再現層を設けるステップと、
上記古色再現層の上の少なくとも一部に、上記第１の制御層を形成するステップと
をさらに含み、
上記古色再現層の上に上記第１の制御層が形成された領域の光沢度は４０％以下であり、上記古色再現層の上の他の領域の光沢度は４０％より大きい、付記７に記載の画像形成方法。
【０１２６】
（付記９）
上記古色再現層の光沢度は上記絵柄層の光沢度より大きい、付記８に記載の画像形成方法。
【０１２７】
（付記１０）
上記隠蔽層を形成するステップの前に、上記下地層の上の少なくとも一部に、上記下地層の光沢を抑制する第２の制御層を形成するステップをさらに含む、付記７ないし９のいずれか一つに記載の画像形成方法。
【０１２８】
（付記１１）
上記第２の制御層は、上記第１の制御層よりもマット剤の濃度が低い層である、付記１０に記載の画像形成方法。
【０１２９】
（付記１２）
上記絵柄層の光沢度は４０％以下である、付記７ないし１１のいずれか一つに記載の画像形成方法。
【０１３０】
（付記１３）
上記絵柄層を形成するステップの前に、上記隠蔽層の上に、紫外線硬化インクにより上記複製対象の質感を表現した質感パターンを形成するステップをさらに含む、付記７ないし１２のいずれか一つに記載の画像形成方法。
【０１３１】
（付記１４）
金属光沢を有する複製対象の画像をインクジェット方式で形成する画像形成方法であって、
基材の上に設けられた金属光沢を有する下地層の上に、上記複製対象の色を再現した古色再現層を設けるステップと、
上記古色再現層の上の少なくとも一部に、質感を付与する第１の制御層を形成するステップと
を含み、上記古色再現層の上に上記第１の制御層が形成された領域の光沢度は４０％以下であり、上記古色再現層の上の他の領域の光沢度は４０％より大きい、画像形成方法。
【０１３２】
（付記１５）
上記古色再現層を設けるステップの前に、上記下地層の上の少なくとも一部に、上記下地層の光沢を抑制する第２の制御層を形成するステップをさらに含む、付記１４に記載の画像形成方法。
【０１３３】
（付記１６）
上記第２の制御層は、上記第１の制御層よりもマット剤の濃度が低い層である、付記１５に記載の画像形成方法。
【０１３４】
（付記１７）
コンピュータに付記７ないし１６のいずれか一つに記載の画像形成方法を実行させる、プログラム。
【０１３５】
（付記１８）
金属光沢を有する第１の領域と、上記第１の領域以外の第２の領域とを有する複製対象の画像をインクジェット方式で形成する画像形成装置であって、
基材の上に設けられた金属光沢を有する下地層の上の、上記第２の領域に対応する領域に、金属光沢を隠蔽する隠蔽層を形成する隠蔽層形成手段と、
上記隠蔽層の上に、上記複製対象の絵柄が印刷された絵柄層を形成する絵柄層形成手段と、
上記絵柄層の上に、質感を付与する制御層を形成して、上記絵柄層の光沢度を４０％以下にする質感付与手段と
を含む、画像形成装置。
【０１３６】
（付記１９）
金属光沢を有する複製対象の画像をインクジェット方式で形成する画像形成装置であって、
基材の上に設けられた金属光沢を有する下地層の上に、上記複製対象の色を再現した古色再現層を設ける古色再現層形成手段と、
上記古色再現層の上の少なくとも一部に、質感を付与する制御層を形成する質感付与手段と
を含み、上記古色再現層の上に上記制御層が形成された領域の光沢度は４０％以下であり、上記古色再現層の上の他の領域の光沢度は４０％より大きい、画像形成装置。
【０１３７】
以上、本発明の実施の形態について説明したが、本実施形態において説明される方法および装置は例示にすぎず、他の方式でも実施可能である。例えば、上述した構成要素は機能を論理的に分割したものであり、実装において他の方式で構成要素を分割してもよい。また、上述した構成要素のうちの２つ以上が１つに統合されてもよく、構成要素の各々が物理的に単独で存在してもよい。
【０１３８】
さらに、上述した方法の順序は一例であり、上記ステップを異なる順序で実行してもよく、一部のステップを同時に実行してもよい。
【０１３９】
本実施形態で説明される機能がソフトウェアの形態で実施されるとき、その機能を実現するためのプログラムはコンピュータ読み取り可能な記憶媒体に記憶することができる。プログラムは、コンピュータを本実施形態において説明される構成要素の全てまたは一部として機能させるように指示するためのいくつかの命令を含む。
【符号の説明】
【０１４０】
１  システム
２  カメラ
３  端末装置
１００、８００  画像形成装置
１０２  取得部
１０３  入力部
１０４  記憶部
１０５  表示部
１０６  画像データ
１０８  表面形状データ
１１０  印刷部
１１１  記録ヘッド
１１２  隠蔽層形成部
１１３  古色再現層形成部
１１５  制御部
１１４  絵柄層形成部
１１６  マット層形成部
１１８  質感パターン形成部
【図１】
2020192684.tif 000006
【図２】
2020192684.tif 000007
【図３】
2020192684.tif 000008
【図４】
2020192684.tif 000009
【図５】
2020192684.tif 000010
【図６】
2020192684.tif 000011
【図７】
2020192684.tif 000012
【図８】
2020192684.tif 000013
【図９】
2020192684.tif 000014
【図１０】
2020192684.tif 000015
【図１１】
2020192684.tif 000016